(57)【要約】【課題】  エレベーターの上部から出る風を送るとともに上部の照明器具から出る光が利用者に直接照明されることを防止するエレベーターの送風路兼用間接照明装置。【解決手段】  エレベーターの内部で蛍光灯、白熱灯などの照明器具４０の光を間接照明するための照明装置。エレベーターの天井の上部に設置された送風機１０から出る風をエレベーターの内部に送る通風孔２０の下部に設置し、下方に行くに従ってエレベーターの壁面に向けて傾いた多数の長い長方形斜板３２を所定間隔に並べた照明遮蔽器具及び前記照明遮蔽器具とエレベーターの天井の間に前記照明遮蔽器具により遮るように設置される前記照明器具４０を包含する。前記通風孔から出た風が順番に前記照明器具と前記照明遮蔽器具を通過してエレベーターの内部に送風され、風によって前記照明遮蔽器具にほこりなどが溜まることを防止し、前記照明器具から出た光は照明遮蔽器具の斜板を介してエレベーターの壁面に向け照明されることによって、エレベーター利用者に照明光が直接照明されることを防止する。【選択図】  図４
2005026216.tif 000002
【特許請求の範囲】
【請求項１】
エレベーターの内部で蛍光灯、白熱灯などの照明器具の光を間接照明するための照明装置において、エレベーターの天井の上部に設置された送風機から出る風をエレベーターの内部に送る通風孔の下部に設置し、下方に行くに従ってエレベーターの壁面に向けて傾いた多数の長い長方形の斜板が所定間隔に並べられた照明遮蔽器具及び前記照明遮蔽器具とエレベーターの天井の間に前記照明遮蔽器具により遮るように設置される前記照明器具を包含し、前記通風孔から出た風が順番に前記照明器具と前記照明遮蔽器具を通過してエレベーターの内部に送風され、風によって前記照明遮蔽器具にほこりなどが溜まることを防止し、前記照明器具から出た光は前記照明遮蔽器具の斜板を介してエレベーターの壁面に向け照明されることによって、エレベーター利用者に照明光が直接照明されることを防止することを特徴とするエレベーターの送風路兼用間接照明装置。
【請求項２】
前記照明器具（４０）と前記照明遮蔽器具（３０）がエレベーターの天井の四隅の一部または全体だけに設置され、エレベーターの天井中央には設置されないことを特徴とする請求項１記載のエレベーターの送風路兼用間接照明装置。
【請求項３】
エレベーターの天井に反射効率の優秀な反射板（５０）をさらに設置することを特徴とする請求項１または請求項２記載のエレベーターの送風路兼用間接照明装置。
【発明の詳細な説明】
【技術分野】
【０００１】
本発明はエレベーターの送風路兼用間接照明装置に関するもので、具体的にはエレベーターの上部から出る風を送るとともに、上部の照明器具から出る光が利用者に直接照明されることを防止する間接照明装置に関するものである。
【背景技術】
【０００２】
一般的に、エレベーター内部の照明方式は直接照明方式、間接照明方式、これら二つの方式を混合した直・間接照明方式を採用している。図１は間接照明方式を示す一例で、エレベーターの天井に蛍光灯や白熱灯などの照明器具１を設置し、その下に半透明な遮蔽板３を設置した形態である。今の大部分のエレベーターは上部の隅に送風機１０が位置され、その下に通風孔２０が配置されているので、図示のごとく照明装置側面に風が送られエレベーターの内部へ入って行く。
【０００３】
このような間接照明方式では、前記遮蔽板３のため前記照明器具１から発光された光によって利用者が眩しいすぎるなどの不便さを防止しながらも通風がスムーズであるという効果はあるが、すぐに前記遮蔽板３の上部にほこりが溜まって定期的に前記遮蔽板３を分離して掃除する必要がある。また、前記照明器具１を取り替える時も遮蔽板を分離しなければならないという不便さもある。また、前記遮蔽板３をエレベーターの天井の全体に設置しなければならないのでエレベーターの天井が低くなり、背の高いたんすなどの貨物５を運ぶことができないという問題点もある。
【０００４】
図２では他の間接照明方式が図示されている。図２の方式では完全な不透明な前記遮蔽板３の上に前記照明器具１が装着され、照明器具から出た光は利用者に直接照明されず矢印(Ｂ、Ｃ)方向に天井や壁面に反射するようになっている。この方式では、利用者には照明が明るすぎて眩しすぎたり、天井が低くなって不便であるというような問題はないが、照明器具の前記遮蔽板３が通風孔２０を一部遮断し通風に問題があると同時に、照明器具の光が完全にエレベーターの天井と壁面から反射された反射光だけでエレベーターの内部を照明するので必要な照度が低下してしまい、照明効果が低くなるという問題がある。また、図１の実施例と同様に、水平な前記遮蔽板３の上面にほこりなどが溜まってしまうという問題は避けることができない。
【０００５】
図３は直接照明方式の一例を示す図面である。図示のごとく、エレーベーターの天井に前記照明器具１を装着し照明器具の光を遮断する遮蔽板はない。この方式では照明器具の光が直接利用者に伝逹されるので、照明が眩しすぎるという問題があり、かつ天井高が低くなりエレーベーターでは主に白熱灯を使うので内部温度が上昇するという問題がある。
【発明の開示】
【発明が解決しようとする課題】
【０００６】
本発明は、従来のこのような問題点を解決するために、エレベーターの天井高も高い状態で維持し空間活用度を高め、照明灯の光が直接利用者を照らすことを防止することにより、眩しすぎるという状態を予め防止し、前記遮蔽板にほこりなどが溜まることも防止するエレベーター用照明装置を提供することを目的とする。
【課題を解決するための手段】
【０００７】
本発明は、エレベーターの内部で蛍光灯、白熱灯などの照明器具の光を間接照明するための照明装置において、エレベーターの天井の上部に設置された送風機から出る風をエレベーターの内部に送る通風孔の下部に設置し、下方に行くほどエレベーターの壁面に向けて傾いた多数の長い長方形の斜板が所定間隔に並ぶ照明遮蔽器具及び前記照明遮蔽器具とエレベーターの天井の間に前記照明遮蔽器具により遮るように設置される照明器具を包含し、前記通風孔から出た風が順番に前記照明器具と前記照明遮蔽器具を通過してエレベーターの内部に送風され、風により前記照明遮蔽器具にほこりなどが溜まることを防止し、前記照明器具から出た光は前記照明遮蔽器具の前記斜板を介してエレベーターの壁面に向け照明されることによって、エレベーター利用者に照明光が直接照明されることを防止することを特徴とする。
このような間接照明装置において、照明器具４０と照明遮蔽器具３０がエレベーターの天井の四隅の一部または全体だけに設置され、エレベーターの天井中央には設置されないことが好ましい。
【発明の効果】
【０００８】
このように構成された本発明に係るエレベーター用照明装置によると、前記遮蔽板をこのエレベーターの天井の隅だけに設置し中央部には設置しないのでエレベーターの天井を高い状態に維持し空間活用度を高めることができるだけではなく、照明灯の光が直接利用者を照らすことを防止しながらも天井と壁面を利用した反射効果をそのまま維持し、内部に必要な照度を維持しながらも利用者が眩しすぎるという状態を予め防止できる事は勿論、通風孔から出た風が前記遮蔽板を通過するようにすることによって前記遮蔽板にほこりなどが溜まることも防止することができる。なお、前記遮蔽板の一方が開いているので前記遮蔽板を分離せずに照明灯を容易に取り替えられるのでメンテナンスがとても容易となる。
【発明を実施するための最良の形態】
【０００９】
以下、添付図面に依拠して本発明を詳しく説明する。図４は本発明による照明装置が設置されたエレベーターの側断面図である。図示のごとくエレベーターの天井の上部には送風機１０が設置される。図示された実施例では左右側の上端に夫々送風機１０が設置されていて、送風機１０下端には送風機の風をエレベーター内部へ送るための通風孔が形成される。
【００１０】
通風孔２０の下部には本発明に係る照明遮蔽器具３０が設置され、その上に照明器具４０が設置される。照明遮蔽器具３０は下方へ行くほどエレベーター壁面に向けて傾いた多数の長い長方形の斜板３２が所定間隔に並んで構成されている。図５、図６にその細部が詳しく図示されている。
【００１１】
したがって、通風孔２０から出た風は破線で示された矢印Ａの方向に斜板３２間の間を通してエレベーターの内部へ流れ、照明器具４０から出た光は矢印Ｂの方向に天井で反射されるのはもちろん、矢印Ｃの方向に斜板３２を通してエレベーターの壁面から反射される。斜板３２が反対の方向に、つまり、下に行くほどエレベーターの中心に向ける方向に傾く場合、照明器具から出た光が直接利用者を照らすようになるので利用者には眩しすぎるので好ましくない。照明器具４０は照明遮蔽器具３０とエレベーターの天井間に配置され、利用者の視野から照明遮蔽器具３０によって遮られる。
【００１２】
図５は照明器具４０と照明遮蔽器具３０を詳しく示す斜視図で、図示のごとく照明遮蔽器具３０と照明器具４０は両方ともエレベーターの壁面に装着することができる。また、照明器具４０は必要によって蛍光灯、白熱灯、棒状電球などいずれをも使うことができる。
【００１３】
図６は本発明に係る照明装置を詳しく示す側面図で、図示のごとく通風孔２０から出た風は矢印Ａの方向に照明遮蔽器具３０の斜板３２の間を通してエレベーターの内部に循環され、照明器具４０の光は矢印Ｂ、Ｃの方向に移動しエレベーターの天井と壁面で反射されるようになる。通風孔２０から出た風が順番に照明器具４０と照明遮蔽器具３０を通過してエレベーターの内部に送風され、風により照明遮蔽器具３０にほこりなどが溜まることを防止し、照明器具４０から出た光は照明遮蔽器具３０の長方形の斜板３２を通してエレベーターの壁面に向けて照明されることによって、エレベーター利用者に照明光が直接照明されることを防止することを特徴とするエレベーターの送風路兼用間接照明装置である。
【００１４】
また、図４のごとく本発明に係る照明装置における照明器具４０と照明遮蔽器具３０がエレベーターの天井の四隅の一部または全体だけに設置され、エレベーターの天井中央には設置されない。したがって、エレベーター中央の天井は従来のエレベーターに比べ高くなるので空間活用度が最大化される。
【００１５】
図７は他の実施例を示すエレベーターの側面図である。この実施例では前述した図４の実施例と同じであるが、エレベーターの天井に反射効率の良い反射板５０を追加で設置し、照明遮蔽器具３０の外側部に仕上げ材３４をもって仕上げをした点としては差異がある。このような反射板５０は必要によってエレベーターの天井全体をカバーするように設置しても良く、中央一部だけをカバーするように設置しても良いが、空間活用度を高めるためにはなるべくエレベーターの天井に密着するように設置したほうが好ましい。
【００１６】
したがって、本実施例の場合、図４の実施例に比べ照明器具４０から矢印Ｂ方向に反射した反射光が反射板５０で反射されるので、光効率がより優れており、照明遮蔽器具３０の外側部をＬ型の仕上げ材３４で仕上げるので、遮蔽器具の外観がさらによくなるという長所がある。これは特に内部装飾を重要視する最近のエレベーター動向に応じるものでエレベーターの内部照明がより向上し装飾的な美感がより優れているという効果を期待することができる。
【産業上の利用可能性】
【００１７】
本発明は、各種ビルのエレベーター間接照明分野に利用できる。
【図面の簡単な説明】
【００１８】
【図１】エレベーターの間接照明方式の一例を示す側面図である。
【図２】他の間接照明方式を示す側面図である。
【図３】エレベーターの直接照明方式の一例を示す側面図である。
【図４】本発明に係る間接照明装置を示す側面図である。
【図５】本発明に係る間接照明装置の斜視図である。
【図６】本発明に係る間接照明装置を詳しく示す部分側面図である。
【図７】本発明に係る他の実施例を示す側面図である。
【符号の説明】
【００１９】
１    照明器具
３    遮蔽板
１０  送風機
２０  通風孔
３０  照明遮蔽器具
３２  斜板
３４  仕上げ材
４０  照明器具
５０  反射板
【図１】
2005026216.tif 000003
【図２】
2005026216.tif 000004
【図３】
2005026216.tif 000005
【図４】
2005026216.tif 000006
【図５】
2005026216.tif 000007
【図６】
2005026216.tif 000008
【図７】
2005026216.tif 000009